(57)【特許請求の範囲】
【請求項１】
光源から原稿ガラス上の原稿に光を照射して、該原稿からの反射光をキャリッジの走査光学系を通して光電変換素子に入射し、該光電変換素子で光電変換して前記原稿の画像を読み取る画像読取手段と、前記キャリッジの移動制御を行わせると共に、前記画像読取手段によって前記原稿の画像を読み取らせる制御手段とを有する画像読取装置であって、
前記制御手段は、外部の操作により前記原稿の読み取り領域が設定されたことに応じて、該読み取り領域の読み取り開始位置に前記キャリッジを移動させ、該読み取り領域の設定が変更する度に、その設定変更した読み取り領域の読み取り開始位置に前記キャリッジを移動させることを繰り返し、設定読み取り領域の位置情報が決定した後、外部の操作による読み取り開始命令を受けた場合に、前記画像読取手段によって前記読み取り開始位置から前記読み取り領域の読み取りを開始させる手段を有することを特徴とする画像読取装置。
【請求項２】
請求項１に記載の画像読取装置において、
前記原稿ガラスの位置とは異なる位置にシェーディング補正のための基準白板を備え、
前記制御手段は、前記原稿の読み取り領域を設定して読み取りを行う領域設定読み取りモードに移行したことに応じて前記画像読取手段によって前記基準白板を読み取らせる手段を有し、前記読み取り領域から読み取られた画像データに対して前記基準白板から読み取られたデータに基づいてシェーディング補正を行わせることを特徴とする画像読取装置。
【請求項３】
前記画像読取手段によって読み取り可能な位置に前記キャリッジの移動方向に沿って配置された所定の部材を備え、
前記制御手段は、外部の操作によって前記領域設定読み取りモードに移行した場合に、前記画像読取手段によって前記基準白板を読み取らせ、該基準白板から読み取られた基準白板データを取得すると共に、前記画像読取手段によって前記所定の部材を読み取らせて前記光源の光量データを取得することを特徴とする請求項２に記載の画像読取装置。
【請求項４】
前記制御手段は、前記原稿の読み取り領域が設定されたことに応じて前記キャリッジを前記設定された読み取り領域の読み取り開始位置に移動させる際には、前記画像読取手段による読み取り時よりも高速で移動させることを特徴とする請求項１乃至３のいずれか一項に記載の画像読取装置。
【請求項５】
前記制御手段は、前記原稿の読み取り領域が設定されたことに応じて前記キャリッジを前記設定された読み取り領域の読み取り開始位置に移動させた後に、前記光源を点灯させることを特徴とする請求項１乃至４のいずれか一項に記載の画像読取装置。
【請求項６】
前記制御手段は、前記原稿の読み取り領域が設定されたことに応じて前記キャリッジを前記設定された読み取り領域の読み取り開始位置に移動させてから所定の時間内に、外部の操作による命令を受けなかった場合に、前記光源を消灯させることを特徴とする請求項５に記載の画像読取装置。
【請求項７】
請求項１乃至６のいずれか一項に記載の画像読取装置において、
前記原稿ガラスに対して開閉可能な圧板と、該圧板の開閉を検知する開閉検知手段とを備え、
前記制御手段は、外部の操作によって前記原稿の読み取り領域を設定した後、前記開閉検知手段の検知結果をチェックし、前記圧板が閉じている場合、あるいは前記圧板が開いている状態で前記読み取り開始命令を受けた場合に、前記キャリッジを加速に必要な距離だけ、前記読み取り開始位置から、読み取り時の前記キャリッジの移動方向と反対側に移動させることを特徴とする画像読取装置。
【請求項８】
前記制御手段は、前記読み取り開始命令を受けた場合に、再び前記画像読取手段によって前記所定の部材を読み取らせて前記光源の光量データを取得することを特徴とする請求項３に記載の画像読取装置。
【請求項９】
前記制御手段は、前記基準白板データを取得した時に取得した前記光量データの値と前記読み取り開始命令を受けた時に取得した前記光量データの値とを比較して、その変動率に基づき前記読み取り領域から読み取られた画像データを補正することを特徴とする請求項８に記載の画像読取装置。
【請求項１０】
請求項１乃至９のいずれか一項に記載の画像読取装置を備え、該画像読取装置によって読み取られた画像データに基づいて記録媒体上に画像形成を行うことを特徴とする画像形成装置。
【発明の詳細な説明】
【技術分野】
【０００１】
この発明は、原稿の画像を読み取るスキャン方式の画像読取装置（デジタル複写機，デジタル複合機，ファクシミリ装置等の画像形成装置に搭載されるスキャナ装置あるいは単体のスキャナ装置）、およびその画像読取装置を搭載した画像形成装置に関する。
【背景技術】
【０００２】
上記のような画像読取装置では、自装置の操作部または自装置に通信可能に接続されているＰＣ（パーソナルコンピュータ）の表示部上に、読み取り領域設定用の操作画面を表示し、その操作画面に対するユーザの操作に従い、読み取り領域の基準位置やＸ（短手）方向，Ｙ（長手）方向のサイズを設定しておくことにより、原稿ガラス上にセットされた原稿から、設定された基準位置およびサイズの読み取り領域（設定領域）の画像データのみを読み取る機能を備えたものがある（例えば特許文献１，２参照）。
【発明の概要】
【発明が解決しようとする課題】
【０００３】
しかしながら、このような従来の画像読取装置では、現状、設定領域に関わらず、ホームポジョンから原稿に対するスキャンを開始し、上記設定領域以外の不要な領域までスキャンしているため、原稿の画像読み取りのスループット（生産性）の観点から効率が悪いという問題がある。
また、現状、読み取り領域設定用の操作画面上には、ユーザによって読み取り領域の基準位置やＸ方向，Ｙ方向のサイズを設定する際に使用される読み取り領域の基準位置を示すイラストはあるが、慣れないユーザだと、スキャン後の画像データを見ないとその座標入力があっているかどうかがわからず、ＸとＹを間違えたりする場合があり、ユーザによる使い勝手が悪いという問題もある。
【０００４】
この発明は、上記の点に鑑みてなされたものであり、ユーザの操作に従って読み取り領域の設定を行う際に、その設定読み取り領域の読み取り開始位置をユーザが容易に確認できるようにすると共に、設定読み取り領域の読み取り開始位置から読み取りを開始して原稿の画像読み取りのスループットを向上させることを目的とする。
【課題を解決するための手段】
【０００５】
この発明は、上記の目的を達成するため、以下の（１）〜（１０）に示す画像読取装置および画像形成装置を提供する。
（１）光源から原稿ガラス上の原稿に光を照射して、その原稿からの反射光をキャリッジの走査光学系を通して光電変換素子に入射し、その光電変換素子で光電変換して上記原稿の画像を読み取る画像読取手段と、上記キャリッジの移動制御を行わせると共に、上記画像読取手段によって上記原稿の画像を読み取らせる制御手段とを有する画像読取装置であって、上記制御手段が、外部の操作による上記原稿の読み取り領域が設定されたことに応じて、その読み取り領域の読み取り開始位置に上記キャリッジを移動させ、その読み取り領域の設定が変更する度に、その設定変更した読み取り領域の読み取り開始位置に上記キャリッジを移動させることを繰り返し、設定読み取り領域の位置情報が決定した後、外部の操作による読み取り開始命令を受けた場合に、上記画像読取手段によって上記読み取り開始位置から上記読み取り領域の読み取りを開始させるものである。
【０００６】
（２）（１）の画像読取装置において、上記原稿ガラスの位置とは異なる位置にシェーディング補正のための基準白板を備え、上記制御手段が、上記原稿の読み取り領域を設定して読み取りを行う領域設定読み取りモードに移行したことに応じて上記画像読取手段によって上記基準白板を読み取らせる手段を有し、上記読み取り領域から読み取られた画像データに対して上記基準白板から読み取られたデータに基づいてシェーディング補正を行わせるものである。
【０００７】
（３）（２）の画像読取装置において、上記画像読取手段によって読み取り可能な位置に上記キャリッジの移動方向に沿って配置された所定の部材を備え、上記制御手段が、外部の操作によって上記原稿の読み取り領域を設定するモードに移行した場合に、上記画像読取手段によって上記基準白板を読み取らせ、その基準白板から読み取られた基準白板データを取得すると共に、上記画像読取手段によって上記所定の部材を読み取らせて上記光源の光量データを取得するものである。
（４）（１）〜（３）のいずれかの画像読取装置において、上記制御手段が、上記原稿の読み取り領域が設定されたことに応じて上記キャリッジを上記設定された読み取り領域の読み取り開始位置に移動させる際には、上記画像読取手段による読み取り時よりも高速で移動させるものである。
【０００８】
（５）（１）〜（４）のいずれかの画像読取装置において、上記制御手段が、上記原稿の読み取り領域が設定されたことに応じて上記キャリッジを上記設定された読み取り領域の読み取り開始位置に移動させた後に、上記光源を点灯させるものである。
（６）（５）の画像読取装置において、上記制御手段が、上記原稿の読み取り領域が設定されたことに応じて上記キャリッジを上記設定された読み取り領域の読み取り開始位置に移動させてから所定の時間内に、外部の操作による命令を受けなかった場合に、上記光源を消灯させるものである。
【０００９】
（７）（１）〜（６）のいずれかの画像読取装置において、上記原稿ガラスに対して開閉可能な圧板と、その圧板の開閉を検知する開閉検知手段とを備え、上記制御手段が、外部の操作によって上記原稿の読み取り領域を設定した後、上記開閉検知手段を使って、上記圧板が閉じたことを検知した場合、あるいは上記圧板が開いていることを検知した状態で上記読み取り開始命令を受けた場合に、上記キャリッジを加速に必要な距離だけ、上記読み取り開始位置から、読み取り時の上記キャリッジの移動方向と反対側に移動させるものである。
【００１０】
（８）（３）の画像読取装置において、上記制御手段が、上記読み取り開始命令を受けた場合に、再び上記画像読取手段によって上記所定の部材を読み取らせて上記光源の光量データを取得するものである。
（９）（８）の画像読取装置において、上記制御手段が、上記基準白板データを取得した時に取得した上記光量データの値と上記読み取り開始命令を受けた時に取得した上記光量データの値とを比較して、その変動率に基づき上記読み取り領域から読み取られた画像データを補正するものである。
（１０）（１）〜（９）のいずれかの画像読取装置を備え、その画像読取装置によって読み取られた画像データに基づいて記録媒体上に画像形成を行うものである。
【発明の効果】
【００１１】
この発明によれば、画像読取装置又はそれを備えた画像形成装置が、外部の操作による原稿の読み取り領域の設定時に、その読み取り領域の読み取り開始位置からその読み取り領域の読み取りが可能な位置にキャリッジを移動させ、外部の操作による読み取り開始命令を受けた場合に、画像読取手段によって上記読み取り開始位置から上記読み取り領域の読み取りを開始させることにより、ユーザの操作（外部の操作）に従って読み取り領域の設定を行う際に、その設定読み取り領域の読み取り開始位置をユーザが容易に確認でき、しかも設定読み取り領域の読み取り開始位置から読み取りを開始するため、原稿の画像読み取りのスループットを向上させることができる。
【図面の簡単な説明】
【００１２】
【図１】この発明の一実施形態である画像読取装置を搭載した画像形成装置の機構部の構成例を示す全体構成図である。
【図２】図１の画像読取装置１００の詳細を示す構成図である。
【図３】図２の画像読取装置１００における読み取り領域設定前のコンタクトガラス１０１の周辺の構成例を示す上面図である。
【図４】図１に示した画像形成装置１０の制御系の構成例を示すブロック図である。
【図５】図４の操作部１３又はＰＣ２０の表示部に表示される読み取り領域設定用の操作画面の一例を示す図である。
【００１３】
【図６】図２の画像読取装置１００における読み取り領域設定後のコンタクトガラス１０１の周辺の構成例を示す上面図である。
【図７】図４に示した制御部によるこの発明に関わる領域設定読み取りモード処理の一例を示すフロー図である。
【図８】その領域設定読み取りモード処理の続きを示すフロー図である。
【図９】図４のメモリ５０７に記憶されている副走査方向に板金部のレベル分布を示すデータの一例を示す線図である。
【発明を実施するための形態】
【００１４】
以下、この発明を実施するための形態を図面に基づいて具体的に説明する。
まず、この発明の一実施形態である画像読取装置を搭載した画像形成装置の機構部の構成例を示す全体構成図である。
この画像形成装置１０は、図１に示すように、本体２００に画像読取装置１００と自動原稿給送装置（以下「ＡＤＦ」という）３００とを搭載したデジタル複写機であり、画像読取装置１００によって原稿の画像データを読み取ることができる。
【００１５】
この画像形成装置１０は、原稿を載置する原稿ガラスであるコンタクトガラス１０１の上部にＡＤＦ３００が設けられており、このＡＤＦ３００をコンタクトガラス１０１に対して開閉できるように（つまり圧板としての機能も果せるように）、図示しないヒンジ等を介して連結している。なお、ＡＤＦ３００の代わりに圧板を使用してもよい。
ＡＤＦ３００は、複数の原稿からなる原稿束を載置可能な原稿載置台としての原稿トレイ３０１と、図示しない操作部上のプリントキー（スタートキー）の押下により、原稿トレイ３０１に画像面を上にして載置された原稿束から原稿を１枚ずつ分離して自動給送し、コンタクトガラス１０１へ向けて搬送する給送ローラ３０２および搬送ベルト３０３を含む分離・給送手段とを備えている。
【００１６】
給送ローラ３０２および搬送ベルト３０３によって給送された原稿は、後述する画像読取装置１００による画像読み取りが行われた後、搬送ベルト３０３および排送ローラ３０４によってＡＤＦ３００の上面に排出される。
ここで、ＡＤＦ３００によって原稿をコンタクトガラス１０１の読み取り位置に搬送する場合の後述する制御部およびＡＤＦ３００の動作について説明する。
【００１７】
ＡＤＦ３００の給送モータは制御部からの出力信号によって駆動されるようになっており、制御部は、操作部上のプリントキーの押下によって発生した給送スタート信号が入力されると、給送モータを正・逆転駆動するようになっている。給送モータが正転駆動されると、給送ローラ３０２が時計方向に回転して原稿束から最上位に位置する原稿が自動給送され、コンタクトガラス１０１へ向けて搬送される。この原稿の先端が原稿セット検知センサ３０５によって検知されると、制御部は原稿セット検知センサ３０５からの出力信号に基づいて給送モータを逆転駆動させる。これにより、後続する原稿が進入するのを防止して分離されないようになっている。
【００１８】
制御部はまた、原稿セット検知センサ３０５が原稿の後端を検知したとき、この検知時点からの図示しない搬送ベルトモータの回転パルスを計数し、回転パルスが所定値に達したときに、搬送ベルト３０３の駆動を停止して搬送ベルト３０３を停止することにより、原稿をコンタクトガラス１０１上の読み取り位置に停止させる。更に、原稿セット検知センサ３０５によって原稿の後端が検知された時点で、給送モータを再び駆動して、後続する原稿を上述したように分離して自動給送させ、コンタクトガラス１０１に向けて搬送させ、この原稿が原稿セット検知センサ３０５によって検知された時点からの給送モータのパルスが所定パルスに到達したときに、給送モータを停止させて次の原稿を先出し待機させる。
【００１９】
そして、原稿がコンタクトガラス１０１上の読み取り位置に停止したとき、原稿の画像読み取りが行われる。この画像読み取りが終了すると、その旨を示す信号が制御部に入力されるため、制御部は、この信号により、搬送ベルトモータを正転駆動して、搬送ベルト３０３によって原稿をコンタクトガラス１０１から排送ローラ３０４へ向けて搬出させる。
【００２０】
このように、ＡＤＦ３００にある原稿トレイ３０１に原稿の画像面を上にして置かれた原稿束は、プリントキーの押下によって一番上の原稿から自動給送され、コンタクトガラス１０１上の読み取り位置に搬送される。
その読み取り位置に搬送されて停止した原稿は、画像の読み取り後、搬送ベルト３０３等によって排出口から排出される。更に、原稿トレイ３０１に次の原稿が有ることが検知された場合、前の原稿と同様に次の原稿が自動給送され、コンタクトガラス１０１上に搬送される。
【００２１】
給紙トレイである第１トレイ２０１，第２トレイ２０２，第３トレイ２０３に積載された転写紙（用紙）は、各々第１給紙ユニット２１１，第２給紙ユニット２１２，第３給紙ユニット２１３によって給紙され、縦搬送ユニット２１４によって像担持体であるドラム状の感光体（感光体ドラム）２１５に当接する位置まで搬送される。なお、実際には各トレイ２０１〜２０３のうちのいずれか１つが選択され、そこから転写紙が給紙される。また、転写紙以外の転写材（記録媒体）を使用することもできる。
【００２２】
一方、画像読取装置１００によって読み取られた画像データは、後述する画像処理回路で所定の画像処理が実行され、記憶装置（メモリ）に一旦記憶される。そして、画像形成手段であるプリンタを構成する本体２００による画像形成時に、記憶装置内の画像データが読み出されて書き込みユニット２５０へ送られ、その書き込みユニット２５０からの画像データに応じて変調されたレーザ光により、図示しない帯電ユニットにより予め帯電された感光体２１５の表面に書き込まれて（その表面が露光されて）静電潜像が形成され、その静電潜像が現像ユニット２２７を通過することにより、そこにトナー画像が形成される。その作像を行う現像ユニット２２７および帯電ユニット等が作像手段を構成する。
【００２３】
選択された給紙トレイから給紙された転写紙は、感光体２１５の回転と等速で搬送ベルト２１６によって搬送されながら、感光体２１５上のトナー画像が転写される。更に、定着ユニット２１７にてトナー画像を定着され、排紙ユニット２１８によって機外の排紙トレイ２１９に排紙される。このとき、例えばフェースダウン（転写紙をページ順に揃えるため画像面を下向きにする）排紙のために、一方の面にトナー画像が形成された転写紙を反転したい場合、その転写紙は排紙ユニット２１８により両面入紙搬送路２２０に搬送され、反転ユニット２２１でスイッチバック反転された後、反転排紙搬送路２２２を通って排紙トレイ２１９に排出される。
【００２４】
また、転写紙の両面に画像を形成する場合には、一方の面に画像が形成された転写紙は排紙ユニット２１８により両面入紙搬送路２２０に搬送され、反転ユニット２２１でスイッチバック反転された後、両面搬送ユニット２２３に送られる。
両面搬送ユニット２２３に送られた転写紙は、再び感光体２１５に作像されたトナー画像を転写するために、両面搬送ユニット２２３から再給紙され、再度縦搬送ユニット２１４によって感光体２１５に当接する位置まで搬送されて、他方の面にトナー画像が転写された後、定着ユニット２１７によってトナー画像が定着され、排紙ユニット２１８によって排紙トレイ２１９に排出される。
【００２５】
感光体２１５，搬送ベルト２１６，定着ユニット２１７，排紙ユニット２１８，および現像ユニット２２７は図示しないメインモータによって駆動され、各給紙ユニット２１１〜２１３はメインモータの駆動力が各々給紙クラッチによって伝達されて駆動される。縦搬送ユニット２１４は、そのメインモータの駆動力が中間クラッチを介して伝達されて駆動される。
【００２６】
書き込みユニット２５０は、レーザ出力ユニット２５１，結像レンズ２５２，ミラー２５３等で構成され、レーザ出力ユニット２５１の内部には、レーザ光源であるレーザダイオードと、レーザ光を走査する回転多面鏡（ポリゴンミラー）又は振動ミラーを備えている。レーザ出力ユニット２５１より照射されるレーザ光は、ポリゴンミラー又は振動ミラーで偏向され、結像レンズ２５２を通り、ミラー２５３で折り返され、感光体２１５の表面上に集光されて結像される。
【００２７】
すなわち、ポリゴンミラー又は振動ミラーで偏向されたレーザ光は感光体２１５が回転する方向と直交する方向（主走査方向）に露光走査され、後述する画像処理回路より出力される画像データのライン単位の書き込みを行う。感光体２１５の回転速度と走査密度（記録密度）に対応する所定の周期で主走査を繰り返すことにより、感光体２１５の帯電面に静電潜像が形成される。
【００２８】
次に、図１の画像読取装置１００の構成および動作について具体的に説明する。
図２は、図１の画像読取装置１００の詳細を示す構成図である。
図３は、図２の画像読取装置１００における後述する読み取り領域設定前のコンタクトガラス１０１の周辺の構成例を示す上面図である。
【００２９】
この画像読取装置１００は、図１の本体２００に搭載されるスキャナ装置であり、光源駆動部および画像処理部を備え、光源駆動部によるスキャナ光源（以下単に「光源」ともいう）からの照射光によって被写体である原稿を照明し、その原稿からの反射光を光電変換素子であるＣＣＤで受光し、そのＣＣＤから出力される電気信号をＡ／Ｄ変換部でアナログ信号からデジタル信号に変換して、原稿の画像データを読み取ることができる。
【００３０】
この画像読取装置１００は、図２に示すように、原稿を載置するコンタクトガラス１０１と、原稿露光用のスキャナ光源１０２，リフレクタ１１０，および第１反射ミラー１０３からなる第１キャリッジ１０６と、第２反射ミラー１０４および第３反射ミラー１０５からなる第２キャリッジ１０７と、ＣＣＤリニアイメージセンサ(以下単に「ＣＣＤ」という)１０９と、ＣＣＤ１０９に結像するためのレンズユニット１０８と、読み取り光学系等による各種の歪みを補正するための基準白板１１１とを備えている。なお、ＣＣＤ１０９の代わりに、ＣＭＯＳ等の他の光電変換素子を用いることもできる。
また、図３に示すように、コンタクトガラス１０１のＹ方向（副走査方向）の端部にはＸ方向スケール７０１を、Ｘ方向の端部にはＹ方向スケール７０２をそれぞれ備えている。それらのうち、Ｘ方向スケール７０１の裏に基準白板１１１を備えている。
【００３１】
このように構成された画像読取装置１００において、原稿の画像面をスキャン（走査）して原稿の画像を読み取る場合、次のような読み取り動作が行われる。
すなわち、第１キャリッジ１０６および第２キャリッジ１０７が、図３に示す待機位置であるホームポジョンＨＰから図示しないスキャナモータ（ステッピングモータ等）によって光路長が変わらないように異なる速度（２対１の相対速度）で矢示Ｙ方向（副走査方向）に移動する。
【００３２】
同時に、コンタクトガラス１０１上にセットされた原稿Ｐの下面である画像面が第１キャリッジ１０６の光源１０２によって照明（露光）される。このとき、第１キャリッジ１０６のリフレクタ１１０は、光源１０２からの照明光を反射し、原稿Ｐに当たるようにする形で、光量のプロファイルの調節を行っている。
すると、原稿Ｐの画像面からの反射光像が第１キャリッジ１０６の第１反射ミラー１０３，第２キャリッジ１０７の第２反射ミラー１０４および第３反射ミラー１０５，およびレンズユニット１０８を介してＣＣＤ（光電変換素子）１０９へ順次送られて結像され、ＣＣＤ１０９において光電変換によりアナログ信号に変換される。そして、得られたアナログ信号に対して、アナログ処理およびデジタル処理が施され、画像情報のデジタルデータが原稿の画像データとして読み取られる。よって、第１キャリッジ１０６，第２キャリッジ１０７，およびＣＣＤ１０９を含む各部が画像読取手段としての機能を果す。
【００３３】
原稿の画像データの主走査方向（副走査方向と直交する方向）の分布を均一にするためには、シェーディング補正を行うが、そのための基準白板１１１の読み取りデータを取得する必要がある。なお、その読み取りデータの取得は、従来、原稿をスキャンする前に毎回行っていた。
シェーディング補正を行うためには、原稿の画像読み取り前に、光源１０２による照明により、基準白板１１１の表面が読み取られ、その読み取り結果（読み取りデータ）に基づいて原稿の画像読み取り時のシェーディング補正が行われる。このシェーディング補正については、追って詳細に説明する。
【００３４】
次に、図１に示した画像形成装置１０の制御系の構成例について説明する。
図４は、その画像形成装置１０の制御系の構成例を示すブロック図である。
図５は、図４の操作部１３又はＰＣ２０の表示部に表示される読み取り領域設定用の操作画面の一例を示す図である。
【００３５】
この画像形成装置１０は、図４に示すように、上述した制御部を構成するマイクロコンピュータ（以下「ＣＰＵ」という）１１およびコントローラ１２と、操作部１３を備えている。
操作部１３は、各種設定等を行うための入力部と、各種情報を表示する表示部とを備えている。
【００３６】
ＰＣ２０は、画像形成装置１０に通信可能に接続されており、作成したＰＤＬ等のデータや、各種情報を画像形成装置１０へ送信することができる。
画像形成装置１０の操作部１３又はＰＣ２０は、読み取り領域設定手段としての機能を果すものであり、アプリケーションプログラムにより、図５に示す読み取り領域設定用の操作画面を表示する。
【００３７】
その操作画面は、読み取り領域の基準位置を示すイラストを表示する基準位置表示部６０１と、読み取り領域のＸ（短手）方向，Ｙ（長手）方向の読み取り開始位置およびサイズを入力するための入力部６０２と、その入力された情報と上記イラストとの位置関係を示す位置関係表示部６０３と、入力を確定するためのＯＫキー６０４と、入力を取り消すための取り消しキー６０５とからなる。
【００３８】
画像形成装置１０の操作部１３又はＰＣ２０は、図５に示したような操作画面に対するユーザの操作に従い、読み取り領域の基準位置やＸ（短手）方向，Ｙ（長手）方向の読み取り開始位置およびサイズを設定する。それによって、コンタクトガラス１０１上にセットされた原稿から、設定された基準位置およびサイズの読み取り領域（設定読み取り領域）の画像データのみを読み取ることが可能になる。
【００３９】
ＣＰＵ１１は、内部のＲＯＭ内のプログラムを実行して装置全体を統括的に制御する。よって、このＣＰＵ１１が、この発明に関わる制御手段としての機能を実現でき、例えば以下の（ａ）（ｂ）に示す処理を含む各種処理を行うことができる。
（ａ）図１のコンタクトガラス１０１に原稿がセットされている状態でプリントキーが押下された場合に、画像読取装置１００による原稿の画像読み取り（設定読み取り領域の画像読み取りを含む）、および本体（プリンタ）２００による画像形成の各動作の制御を開始する。このとき、ランプ制御信号によって画像読取装置１００の光源１０２のオン／オフを制御すると共に、モータ制御信号によってスキャナモータ３２を駆動制御することにより、第１キャリッジ（以下単に「キャリッジ」ともいう）１０６および第２キャリッジ（以下単に「キャリッジ」ともいう）１０７の移動を制御して、原稿の画像読み取りを行わせる。
【００４０】
（ｂ）コントローラ１２から後述する圧板開閉状態の通知を受け、ＡＤＦ３００が閉じていることを確認し、且つ図１のＡＤＦ３００の原稿トレイ３０１に原稿がセットされている状態でプリントキーが押下された場合に、ＡＤＦ３００による原稿の自動給送、画像読取装置１００による原稿の画像読み取り、および本体２００による画像形成の各動作の制御を開始する。このとき、ランプ制御信号によって画像読取装置１００の光源１０２のオン／オフを制御すると共に、モータ制御信号によってスキャナモータ３２を駆動制御することにより、キャリッジ１０６，１０７の移動を制御して、ＡＤＦ３００によって図示しないホームポジション真上のＤＦ用読取ガラス、もしくはコンタクトガラス１０１に給送されてきた原稿の画像読み取りを行わせる。
【００４１】
原稿の画像読み取り時に、ＣＣＤ１０９で得られたアナログ信号は、アナログ信号バッファ５０１およびＡＣ結合回路５０２を介してアナログ処理を行うアナログ処理ブロックへ入力される。
そのアナログ処理ブロックは、アナログ処理回路５０３，増幅回路（ＰＧＡ）５０４，Ａ／Ｄ変換回路（Ａ／Ｄ変換器）５０５等からなり、アナログ信号に対してラインクランプ処理，サンプルホールド処理（Ｓ＆Ｈ），ゲイン処理，Ａ／Ｄ変換処理の順で処理を実施し、原稿のデジタル画像データ（以下単に「画像データ」という）を得る。
【００４２】
そして、その画像データに対して、シェーディング補正部５０６によってシェーディング補正を実施するなど、専用の画像処理ＩＣ（画像処理回路）によって種々の画像処理を実施する。なお、シェーディング補正を行う際には、メモリ５０７内のデータを使用するが、それについては追って詳細に説明する。メモリ５０７は、ＲＡＭあるいはフラッシュＲＯＭ等の不揮発性メモリである。
【００４３】
一方、キャリッジ１０６，１０７の移動量は、操作部１３又はＰＣ２０上に表示された読み取り領域設定用の操作画面に対するユーザ操作、もしくは原稿セット検知センサ３０５による原稿サイズ検知等で入力された原稿サイズ情報に応じて、キャリッジ１０６，１０７の移動速度は、同様に入力された変倍率等に応じて、スキャナモータ３２の回転速度をＣＰＵ１１で制御することで変化させている。
【００４４】
コントローラ１２は、以下の（ｃ）（ｄ）（ｅ）に示す処理を含む各種処理を行う。
（ｃ）画像読取装置１００の圧板としての機能も有するＡＤＦ３００のコンタクトガラス１０１に対する開閉を、圧板開閉センサ３１の出力信号によって判定し、その判定結果（圧板開閉状態）をＣＰＵ１１へ通知する。
（ｄ）画像読取装置１００によって読み取られ、画像処理が施されて記憶装置に記憶された原稿の画像データを、ＣＰＵ１１からの指示に従って読み出し、図１の書き込みユニット２５０へ送出して画像形成を行わせるか、もしくはユーザが操作するＰＣ２０へ転送する。
【００４５】
（ｅ）画像形成装置１０に通信可能に接続されているＰＣ２０（他の外部装置でもよい）から送られてくるＰＤＬ（ページ記述言語）等のデータを受信し、それを画像形成用の画像データ（ビットマップデータ）に変換して図示しないメモリ（ＲＡＭ）上に展開した後、ＣＰＵ１１からの指示によって読み出し、書き込みユニット２５０へ送出して画像形成を行わせる。
【００４６】
ここで、この発明に関わる部分について説明する前に、理解の便宜のため、従来の読み取り領域の設定と、それによって設定された読み取り領域の画像読み取り、それによって読み取られた画像データに対するシェーディング補正、および従来の問題点について、図１〜図４を参照して説明する。
【００４７】
操作部１３又はＰＣ２０の表示部上には、上述したように読み取り領域設定用の操作画面を表示し、その操作画面に対するユーザの操作により、読み取り領域の基準位置やＸ（主走査）方向，Ｙ（副走査）方向の読み取り開始位置およびサイズを設定した後、プリントキーの押下によって原稿の画像読み取りを開始させることで、図４のＣＣＤ１０９からシェーディング補正部５０６を含む画像読取部から画像処理部（画像処理回路）およびコントローラ１２を介して、設定された読み取り領域の画像データを画像形成装置１０内の記憶装置に一旦格納し、その画像データを書き込みユニット２５０へ送出して画像形成を行わせるか、もしくはユーザが操作するＰＣ２０へ転送する。
【００４８】
シェーディング補正部５０６によるシェーディング補正の計算式は以下の数１に示すようになり、画像データ（原稿データ）Ｄは基準白板データＷ，黒オフセットデータＢ，シェーディング補正後の画像データの出力値を決めるリファレンス係数ｒｅｆを用いてシェーディング補正を行うことにより、シェーディング補正後の画像データＳが形成される。
なお、光が入らない状態におけるＣＣＤ１０９のセンサＩＣの出力レベルである黒オフセットレベルを検出してそのレベル値を示す黒オフセットデータＢを予め保持しておき、原稿の画像読み取り時に、その黒オフセットレベルを原稿からの反射光を入射して得られる信号成分（アナログ画像信号又はデジタル画像信号）のレベルから減算することにより、オフセットを除去するオフセット補正も行える。
【００４９】
【数１】
0005830837.tif 000002
【００５０】
しかしながら、原稿の画像読み取りを行う際には、シェーディング補正を行うために図２の基準白板１１１の表面を読み取ってから原稿の画像を読み取らせなければならないため、図３に示すように、ユーザ操作によって設定した読み取り領域ＥＲに関わらず、原稿の読み取り動作自体は、キャリッジ１０６，１０７が待機位置であるホームポジションＨＰから動きだす。よって、原稿上でホームポジョンＨＰから遠い位置に読み取り領域ＥＲを設定した場合でも、動作としては通常のスキャン動作と同じであるため、読み取り開始位置（Ｙ１の位置）まで無駄なスキャンを行うことになり、生産性の面で効率が悪い。なお、ホームポジョンＨＰで実際に待機するのは、第２キャリッジ１０７である。
【００５１】
このようにユーザ操作によって設定した読み取り領域に応じて原稿の画像読み取りのスループット（生産性）を向上させる従来の技術としては、特許文献１，２に記載したものがある。
特許文献１に記載のものによれば、出力を中断可能な画像読み取りセンサを用い、設定読み取り領域の主走査方向幅に応じて主走査周期を変更する構成を採用することにより、画像読み取りセンサの最大読み取り幅よりも小さな画像読み取り幅に対しては、主走査周期を短縮することにより、主走査周期に合わせて決定される副走査速度が高速化するので、結果的に原稿の画像読み取り時間を短縮することができるが、実現には画素毎に出力を中断可能な画像読み取りセンサを用意しなければならず、構成および制御が複雑となってしまい、コストアップも懸念される。
【００５２】
なお、図５で示したような操作画面上の読み取り領域の基準位置や設定される読み取り領域（設定領域）の表示は、慣れていないユーザでないと、縦方向（Ｘ）と横方向（Ｙ）を間違えてしまう場合などがあり、その都度スキャンしなければならないという不便さがあった。このようにユーザ操作によって設定した読み取り領域のスキャン前の確認に関しては以下に示す特許文献２で謳われている。
【００５３】
特許文献２の記載のものによれば、画像読取装置のスキャナ光源に白色ＬＥＤ発光素子をアレイ状に構成したものを使用し、構成素子各々を独自に制御可能なドライブ構成とすることで、スキャナ光源の一部分のみを点灯可能とし、加えて、スキャナ光源の点灯制御手段を、画像読取装置のキャリッジの位置に応じて、点灯パターンの制御が可能な構成とすることにより、実際に原稿がセットされた状態で、キャリッジを移動させ、選択領域のみを照射あるいは消灯することで直接的に設定読み取り領域の確認を可能としている。
【００５４】
この特許文献２の記載のものでは、原稿の縦方向や横方向それぞれで設定読み取り領域の確認をスキャン前に行えるが、スキャナ光源がＬＥＤ発光素子に限定されていることと、確認する度にキャリッジを走査しなければならず、効率が悪い。また、原稿の縦方向の確認もＬＥＤ発光素子個々にドライバのＯＮ／ＯＦＦを駆動させる複雑な構成となっているため、コストもかかる。
【００５５】
これに対し、この実施形態では、制御部が以下の（１）〜（８）に示す制御を行う。
（１）操作部１３又はＰＣ２０上に表示された読み取り領域設定用の操作画面に対するユーザ操作に従い、原稿の設定読み取り領域の画像データを得るモード（以下「領域設定読み取りモード」という）に移行した後、読み取り領域の基準位置や縦（Ｘ）方向，横（Ｙ）方向の読み取り開始位置およびサイズを設定すると、それに連動してキャリッジ１０６，１０７（実際には第１キャリッジ１０６の第１反射ミラー１０３）を原稿の横（Ｙ）方向に設定読み取り領域の読み取り開始位置まで移動させ、読み取り開始命令を受けた場合に、その読み取り開始位置から設定読み取り領域の読み取りを開始させる。
【００５６】
（２）領域設定読み取りモードに移行した時点で、通常スキャンと同じように基準白板１１のデータ（基準白板データ）を取得すると同時に、スキャナ光源１０２の光量データを取得する。
（３）キャリッジ１０６，１０７が設定読み取り領域の読み取り開始位置に移動する際には読み取り動作は必要なく、キャリッジ１０６，１０７が高速で移動しても問題はないため、キャリッジ１０６，１０７を設定読み取り領域の読み取り開始位置に移動させる際には、読み取り動作時よりも高速で移動させる。
【００５７】
（４）設定読み取り領域の読み取り開始位置にキャリッジ１０６，１０７が到達した際に、スキャナ光源１０２が点灯していないと、コンタクトガラス１０１上にセットされている原稿が大きな原稿であった場合、キャリッジ１０６，１０７が隠れてしまい、ユーザが読み取り開始位置を即座に確認できない可能性があるため、キャリッジ１０６，１０７を設定読み取り領域の読み取り開始位置に移動させた後に、スキャナ光源１０２を点灯させる。
（５）キャリッジ１０６，１０７を設定読み取り領域の読み取り開始位置に移動させてから所定の時間内に、ユーザが操作する操作部から何も命令がなければ、スキャナ光源１０２を消灯させる。
【００５８】
（６）読み取り領域を設定した後、そのまま設定読み取り領域の読み取り開始位置から読み取り動作を開始すると、その読み取り開始位置（Ｙ１の位置）はキャリッジ１０６，１０７の加速領域でスキャンすることになり、先端部付近のみ画像の乱れが発生してしまうため、読み取り領域の設定後の読み取り開始前、例えばＡＤＦ３００（圧板）が閉じたとき、またはＡＤＦ３００が開放されたままプリントキーの押下によって読み取り開始命令を受けたときに、キャリッジ１０６，１０７を加速に必要な距離だけ読み取り領域の読み取り開始位置から手前に移動させる。
【００５９】
（７）読み取り開始命令を受け取ると同時に再度、スキャナ光源１０２の光量データを取得する。
（８）（２）で取得した光量データと（７）で取得した光量データとを比較し、その変動率を取得した原稿の画像データに乗算し、補正する。
【００６０】
次に、この発明に関わる読み取り領域の設定が行われた時の読み取り開始前のキャリッジ１０６，１０７の待機位置と、読み取り開始後の板金部の読み取りについて説明する。
図６は、図２の画像読取装置１００における読み取り領域設定後のコンタクトガラス１０１の周辺の構成例を示す上面図である。
従来と構成部品は変わっていないが、この実施形態では、制御部が、スキャナ光源１０２の光量変動をモニタするために、画像読取装置１００におけるＸ方向（主走査方向）の端部の筐体裏のＹ方向に延びている板金読取エリア（板金部）７０３の表面をスキャナ光源１０２の光量データとして読み取ることとする。なお、筐体裏の板金のサビ等により経時変化が懸念される場合は、代わりにＹ方向スケール７０２の裏を読み取るようにしたり、基準白板をＹ方向全体に設置してその表面を読み取るようにしてもよい。
【００６１】
次に、図４に示した制御部によるこの発明に関わる領域設定読み取りモード処理（設定読み取り領域の画像読み取り制御）について説明する。
図７，図８は、その領域設定読み取りモード処理の一例を示すフローチャートである。
制御部は、操作部１３又はＰＣ２０上に表示された読み取り領域設定用の操作画面に対するユーザ操作に従い、領域設定読み取りモードに移行すると、図７，図８に示す領域設定読み取りモード処理を開始する。
【００６２】
そして、まずステップＳ１へ進み、ＣＰＵ１１からスキャナ光源１０２へのランプ制御信号をオンにしてスキャナ光源１０２を点灯させると共に、スキャナモータ３２へのモータ制御信号をオンにしてキャリッジ１０６，１０７を図３のホームポジョンＨＰから基準白板１１１の下側（実際には基準白板１１１の読み取りが可能な位置）へ移動させた後、ステップＳ２へ進み、図２の基準白板１１１の読み取りデータである基準白板データＷおよび図６の板金読み取りエリア（板金部）７０３の読み取りデータである板金部読み取りデータＬ（Ｗ）を取得する。
次に、ステップＳ３へ進み、上記ランプ制御信号をオフにしてスキャナ光源１０２を一旦消灯させると共に、上記モータ制御信号をオフにしてキャリッジ１０６，１０７の移動を停止させる。
【００６３】
その後、ステップＳ４へ進み、上記読み取り領域設定用の操作画面に対するユーザ操作に従い、設定読み取り領域の情報がコントローラ１２経由でＣＰＵ１１に送られてくるまで待機する。
そして、ＣＰＵ１１が、設定読み取り領域の情報（Ｙ１の値を示す位置情報を含む）が入力され、コントローラ１２を介して設定読み取り領域のＹ１の値を示す位置情報を受け取ると、ステップＳ５へ進み、スキャナモータ３２へのモータ制御信号により、その位置情報が示すＹ１の値に相当する位置（設定読み取り領域の読み取り開始位置からの読み取りが可能な位置）までキャリッジ１０６，１０７を移動させる。
【００６４】
そして、Ｙ１の値に相当する位置（例えば図６に示す読み取り開始前キャリッジ待機位置ＷＰ）にキャリッジ１０６，１０７が到達すると、ステップＳ６へ進み、スキャナ光源１０２を点灯させる。
その後、ステップＳ７へ進み、Ｙ１の値の設定が変更する度にステップＳ４へ戻って上述と同様の処理を繰り返し、常に設定変更したＹ１の値に相当する位置へキャリッジ１０６，１０７を移動させる。このときのキャリッジ１０６，１０７の移動はＹ１の値が入力されてから、即座にキャリッジ１０６，１０７が読み取り開始位置を示すため、移動速度をできるだけ速めるように、スキャナモータ３２を制御する。また、ユーザへの読み取り開始位置の認識を容易にさせるために、スキャナ光源１０２のランプ制御信号をＯＮのままとし、原稿に光を照射させ、透過させる。
【００６５】
その後、ステップＳ７において、設定読み取り領域のＸ，Ｙ方向のサイズ（Ｘ１，Ｙ１，Ｘ２，Ｙ２の値）を示す位置情報が決定したら、ステップＳ８へ進み、圧板として機能するＡＤＦ３００（圧板）の開閉状態をチェックし、ＡＤＦ３００が開放していれば、そのままステップＳ１０へ進む。
ＡＤＦ３００が閉じ、開閉検知センサ３１がオンになった場合には、それをトリガとして、ステップＳ９へ移行する。
【００６６】
ステップＳ９では、設定読み取り領域の読み取り開始位置にあるキャリッジ１０６，１０７の位置を加速に必要な距離だけ読み取り開始位置より手前に移動させる。このとき、スキャナ光源１０２の点灯は継続されているが、次のステップＳ１０において、その点灯後一定時間経過していることを判断する（例えば図示しないタイマ計測によって判断できる）と、消費電流と光量低下を防止するため、ステップＳ１１へ移行し、ＣＰＵ１１が上記ランプ制御信号をオフにして、スキャナ光源１０２を消灯させる。
【００６７】
それによって、領域設定読み取り準備完了となり、ステップＳ１２において、読み取り開始命令を待つ。
その後、ユーザによるプリントキーの押下で読み取り開始命令が送られてくると、ステップＳ１３へ進んでスキャナ光源１０２の状態をチェックし、スキャナ光源１０２が点灯していない場合にはステップＳ１４へ移行してスキャナ光源１０２を点灯させ、次のステップＳ１５でＡＤＦ３００の開閉状態をチェックする。
そして、ＡＤＦ３００が閉じていれば、そのままステップＳ１７へ移行する。ＡＤＦ３００が開放したままであれば、ステップＳ１６へ移行し、ステップＳ９と同様に、キャリッジ１０６，１０７の位置を加速に必要な距離だけ読み取り開始位置より手前（ホームポジョンＨＰ側）に移動させた後、ステップＳ１７へ進む。
【００６８】
ステップＳ１７では、キャリッジ１０６，１０７の移動を開始させる。そして、キャリッジ１０６，１０７が等速となり、設定読み取り領域に差し掛かり、設定読み取り領域の読み取り開始位置（先端）、すなわちＹ１の位置に到達した際に、読み取りを開始する。
それによって、次のステップＳ１８では、ステップＳ２での板金部読み取りデータＬ（Ｗ）の取得時と同様に、板金部読み取りデータＬ（Ｙ１）を取得する。
その後、ステップＳ１９へ進み、設定読み取り領域の画像データＤ（ｎ，ｍ）を取得する。
【００６９】
続いて、ステップＳ２０へ進み、Ｙ１＋Ｙ２の位置にキャリッジ１０６，１０７が移動したら、スキャン光源１０２を消灯させ、元のＹ１の位置にキャリッジ１０６，１０７がリターンするように制御する。このとき、先に取得した基準白板データＷ，板金部読取データＬ（Ｗ），Ｌ（Ｙ１）を用いて、取得した画像データＤ（ｎ，ｍ）をシェーディング補正し、その後は従来と同じように種々の画像処理を施していく。
次のステップＳ２１では、領域設定読取モード終了の命令の有無をチェックし、その命令を受けていなければステップＳ４に戻り、上述と同様の処理を領域設定読取モード終了の命令を受けるまで繰り返し行う。領域設定読取モード終了の命令を受けると、領域設定読み取りモード処理を終了する。
【００７０】
上述した板金部読取データＬを使ったシェーディング補正の計算式は以下の数２に示すようになり、基準白板データＷの取得時の板金部読み取りデータＬ（Ｗ）とスキャン時の板金部読み取りデータＬ（Ｙ１）との比を係数として読み取り領域の画像データ（原稿データ）Ｄ（ｎ，ｍ）にかけ、シェーディング補正をする計算となる。なお、ｆ（Ｙ１）は基準白板１１１の位置での板金部（板金読み取りエリア）７０３の読み取りレベルと設定した読み取り開始位置での板金部７０３の読み取りレベル（濃度）に元々差がある場合にそれを補正する板金濃度補正係数であり、１スキャンするなどして、例えば図９に示すように副走査方向に板金部７０３のレベル分布を示すデータを図４のメモリ５０７に格納しておく。
【００７１】
【数２】
0005830837.tif 000003
【００７２】
この基準白板１１１の位置での板金部７０３の読み取りレベルとＹ１の位置での板金部７０３の読み取りレベルとの差の補正を行うことで、板金部７０３の読み取り位置が異なっていてもスキャナ光源１０２の光量変化のみを考慮すればよくなり、最終的に従来のホームポジョンＨＰからの全領域のスキャンと同じ画像品質を保つことができる。
【００７３】
このように、この実施形態によれば、以下の（１）〜（８）に示す作用効果を得ることができる。
（１）画像形成装置の操作部又は外部のＰＣ上に表示された読み取り領域設定用の操作画面に対するユーザ操作に従い、設定読み取り領域の画像データを得る領域設定読み取りモードに移行した後、読み取り領域の基準位置や縦（Ｘ）方向，横（Ｙ）方向の読み取り開始位置およびサイズを設定すると、それに連動してキャリッジ１０６，１０７を原稿の横（Ｙ）方向に設定読み取り領域の読み取り開始位置まで移動させ、読み取り開始命令を受けた場合に、その読み取り開始位置から設定読み取り領域の読み取りを開始させることにより、従来と構成をほぼ変えずに、次のような効果を得られる。
【００７４】
すなわち、読み取り動作を開始する時、即座に原稿の設定読み取り領域の読み取り開始位置（スキャン開始位置）から設定読み取り領域の読み取り（スキャン）を開始して設定読み取り領域のみを読み取ることが可能になるため、従来のように原稿の全域をスキャンする構成より、生産性を高めることができる。また、ユーザの操作に従って読み取り領域の設定を行う際、つまりスキャン前に、原稿の横方向に関してキャリッジを用いて読み取り領域の読み取り開始位置を案内できるため、原稿の横方向の読み取り開始位置があっているか、あるいは読み取り領域の縦，横方向を互いに逆に捉えていないかなどを即座にユーザが認識でき、設定読み取り領域の間違いを防止することができる。
【００７５】
（２）領域設定読み取りモードに移行した時点で、通常スキャンと同じように基準白板１１のデータ（基準白板データ）を取得すると同時に、スキャナ光源の光量データを取得することにより、通常の読み取り動作に必要なデータを予め取得しておき、スキャナ光源の光量変化に伴う基準白板データに対する設定読み取り領域の画像データの変化の補正演算に備えることが可能となる。
（３）キャリッジを設定読み取り領域の読み取り開始位置に移動させる際には、読み取り動作時よりも高速で移動させることにより、読み取り開始位置の設定を変更した際には、ユーザが実際の読み取り開始位置の確認を即座に行うことが可能となる。
【００７６】
（４）キャリッジを設定読み取り領域の読み取り開始位置に移動させた後に、スキャナ光源を点灯させることにより、スキャナ光源からの光が原稿を透過するため、読み取り開始位置を容易にユーザに示すことが可能となる。
（５）キャリッジを設定読み取り領域の読み取り開始位置に移動させてから所定の時間内に、ユーザが操作する操作部から何も命令がなければ、スキャナ光源１０２を消灯させることにより、無駄な消費電力の削減およびスキャナ光源の経時劣化の抑制をすることが可能となる。
【００７７】
（６）読み取り領域の設定後の読み取り開始前、例えばＡＤＦ（圧板）が閉じたとき、またはＡＤＦが開放されたままプリントキーの押下によって読み取り開始命令を受けたときに、キャリッジを加速に必要な距離だけ読み取り領域の読み取り開始位置から手前に移動させることにより、実際の設定読み取り領域の読み取り開始位置もキャリッジが等速の状態でスキャンすることが可能となる。
【００７８】
（７）読み取り開始命令を受け取ると同時に再度、スキャナ光源１０２の光量データを取得することにより、スキャナ光源の光量変化に伴う基準白板データに対する設定読み取り領域の画像データの変化の補正演算に備えることが可能となる。
（８）（２）で取得した光量データと（７）で取得した光量データとを比較し、その変動率を取得した原稿の画像データに乗算し、補正することにより、スキャナ光源の光量の短期変動によるシェーディング補正後の設定読み取り領域の画像データのレベル変化を防ぐことが可能となる。
【００７９】
以上、この発明を画像読取装置を搭載したデジタル複写機に適用した実施形態について説明したが、この発明はこれに限らず、画像読取装置を搭載したデジタル複合機やファクシミリ装置等の他の画像形成装置には勿論、画像読取装置単体にも適用し得るものである。また、この発明をアナログ複写機等のアナログ式画像形成装置にも応用可能である。なお、デジタル複写機のようなデジタル式画像形成装置の場合には、画像読取装置と、それによって読み取った画像データに基づいて記録媒体上に画像形成を行う画像形成手段とを備えているが、アナログ複写機のようなアナログ式画像形成装置の場合には、画像読取装置を備えておらず、光源からの照射光によって原稿（被写体）を照明し、その原稿からの反射光により予め帯電された像担持体上を露光して作像する作像手段を備えている。
【産業上の利用可能性】
【００８０】
以上の説明から明らかなように、この発明によれば、画像読取装置又はそれを備えた画像形成装置が、ユーザの操作に従って読み取り領域の設定を行う際に、その設定読み取り領域の読み取り開始位置をユーザが容易に確認できるようにすると共に、設定読み取り領域の読み取り開始位置から読み取りを開始して原稿の画像読み取りのスループットを向上させることができる。したがって、操作性の向上，画像読み取りの高速化を実現した画像読取装置および画像形成装置を提供することができる。
【符号の説明】
【００８１】
１０：画像形成装置    １１：ＣＰＵ    １２：コントローラ    １３：操作部
２０：ＰＣ    ３１：圧板開閉センサ    ３２：スキャナモータ
１００：画像読取装置    １０１：コンタクトガラス    １０２：光源
１０３：第１反射ミラー    １０４：第２反射ミラー    １０５：第３反射ミラー
１０６：第１キャリッジ    １０７：第２キャリッジ    １０８：レンズユニット
１０９：ＣＣＤ    １１０：リフレクタ    １１１：基準白板    ２００：本体
３００：ＡＤＦ    ５０１：アナログ信号バッファ    ５０２：ＡＣ結合回路
５０３：アナログ処理回路    ５０４：増幅回路    ５０５：Ａ／Ｄ変換回路
５０６：シェーディング補正部    ５０７：メモリ    ６０１：基準位置表示部
６０２：入力部    ６０３：位置関係表示部    ７０３：板金読取エリア
【先行技術文献】
【特許文献】
【００８２】
【特許文献１】特開２００３−２３４８７８号公報
【特許文献２】特開２００２−１１１９７３号公報
【図１】
0005830837.tif 000004
【図２】
0005830837.tif 000005
【図３】
0005830837.tif 000006
【図４】
0005830837.tif 000007
【図６】
0005830837.tif 000008
【図７】
0005830837.tif 000009
【図８】
0005830837.tif 000010
【図９】
0005830837.tif 000011
【図５】
0005830837.tif 000012